(57)【要約】  【課題】  ドリルビット着脱操作を行う操作筒の操作が、削りカスによって支障が生じることのないハンマードリル用ビットアダプタを提供する。  【解決手段】  挿入穴４を設けたアダプタ主体１に、前記挿入穴４に挿入したドリルビットに設けた凹部３に嵌脱するロックピン８を組付ける。このロックピン８を前記挿入穴４方向に押圧する操作筒９を前記アダプタ主体１に摺動自在に外嵌する。また、該操作筒９によるロックピン８の押圧状態を維持するコイルばね１２を、前記操作筒９と前記アダプタ主体１との間に介在させる。そして、アダプタ主体の先端には、前記操作筒９と前後に重なり合うフランジ５を設ける。【選択図】    図１
2010029954.tif 000002
【特許請求の範囲】
【請求項１】
先端面に挿入穴を設けたアダプタ主体に、前記挿入穴に挿入したドリルビットのシャンク周面に設けた凹部に嵌脱するロックピンを組付け、このロックピンを前記挿入穴方向に押圧する操作筒を前記アダプタ主体に摺動自在に外嵌し、該操作筒によるロックピンの押圧状態を維持するコイルばねを、前記操作筒と前記アダプタ主体との間に介在させて構成すると共に、前記アダプタ主体の先端には、前記操作筒と前後に重なり合うフランジを設けた、ハンマードリル用ビットアダプタ。
【発明の詳細な説明】
【技術分野】
【０００１】
本発明は、ビットを選択的に使用するため、ハンマードリル本体に取付けて用いるビットアダプタに関するものである。
【背景技術】
【０００２】
ハンマードリル本体にアダプタを取付けてこれに種々のビットを選択的に取付けてハンマードリルの多様化を図ることは具体例を挙げるまでもなく、一般に行われているが、概し、一端のシャンク側で本体に取付ける、筒状のアダプタ主体に嵌挿したドリルビットのシャンク周面に凹部を設け、該凹部に前記主体の周壁に設けた収容孔に収容したロックピンを嵌合することによってドリルビットを組付けるようにし、その組付け状態を、アダプタ主体に摺動自在に外嵌した操作筒によってロックピンを主体内突出方向に押圧させ、概押圧状態を、前記ビット主体と操作筒間に介在させたコイルスプリングの付勢によって維持するようにした構造のものがある（例えば、特許文献１）。
【０００３】
【特許文献１】実開平４−５９１１号公報
【発明の開示】
【発明が解決しようとする課題】
【０００４】
前記構造のものは、アダプタ主体に摺嵌した操作筒が、アダプタ主体に外嵌して外部に露出した形態を成すため、例えば、建屋天井の穿孔作業に際して落下する削りカスが、アダプタ主体と操作筒との間に介在し、ドリルビットの着脱操作に伴う操作筒のアダプタ主体に沿う摺動操作に支障を来たす場合がある。もっとも、前記構造の場合は、操作筒を受ける止めリングの存在によって、前記の支障をいくらか低減できるが、止めリングと操作筒の接触制度或いは経時変化等を考慮すると、必ずしも満足のいくものではない。
【０００５】
本発明は、操作筒の操作が削りカスによって支障の生じることのないハンマードリル用ビットアダプタを提供することを目的として創案したものである。
【課題を解決するための手段】
【０００６】
先端面に挿入穴を設けたアダプタ主体に、前記挿入穴に挿入したドリルビットのシャンク周面に設けた凹部に嵌脱するロックピンを組付け、このロックピンを前記挿入穴方向に押圧する操作筒を前記アダプタ主体に摺動自在に外嵌し、該操作筒によるロックピンの押圧状態を維持するコイルばねを、前記操作筒と前記アダプタ主体との間に介在させて構成すると共に、前記アダプタ主体の先端には、前記操作筒と前後に重なり合うフランジを設けた、構成とするのである。
【発明の効果】
【０００７】
本発明によれば、操作筒の操作によってビットアダプタの取付け、取外しを簡単に行うことができるビットアダプタを提供できると共に、アダプタ本体の先端のフランジが、該本体と該本体に外嵌した操作筒の境界部を套装するから、天井など上方に向けて穿孔作業したときに落下する削りカスは、このフランジがいわば傘のような役目をして、前期境界部に入りにくくなり、カスが入ることにより操作筒の操作上の不具合の発生を回避することができ、使用勝手上、好適なハンマードリル用ビットアダプタを提供できる。
【実施例】
【０００８】
図面は本発明に係るハンマードリル用ビットアダプタの一実施例を示し、図１は断面図、図２は一部拡大断面図である。
【０００９】
図中、１はアダプタ主体で、アダプタ主体１は、主体部１ａとシャンク部１ｂを長い筒体１ｃ（鋼管製）で接続して構成し、シャンク部１ｂによってハンマードリル本体Ｄに取付けることによって、ドリル本体Ｄと主体部１ａに取付けるドリルビットｂとの間の距離を長くし、いわばハンマードリル用延長棒として適用して、天井面などこれまで脚立を使用しなければできなかった高所の作業を床面上からもできるようにしたもので、実施例の場合、前記筒体１は１１５５ｍｍの長さを有する（通常のビットアダプタよりドリルビットｂの長さを１１５５ｍｍ長くしたことになる）。
【００１０】
なお、筒体１ｃの外側には、筒体（内筒）１ｃと同様鋼管より成る外筒２を回動自在に遊嵌させてあり、穿孔作業時に、必要に応じてこの外筒２を手先で保持して、その作業の能率化を図れるようにしてある。
【００１１】
シャンク部１ｂは、一端側の小径部１ｂ´を筒体１ｃに螺入して、筒体１ｃと一体的（実施例では螺合手段を用いたが、熔接手段でも良い）にし、前記ハンマードリル本体Ｄが備えている組付孔に挿入し、該組付孔の周壁に出没自在に装置したロック片が嵌脱する凹部３を備えたものである。
【００１２】
主体部１ａは、基端側の小径部１ａ´を、シャンク部１ｂと同様に筒体１ｃに螺入して筒体１cと一体的にしたもので、先端面に挿入穴４を開設した先端部に設けたフランジ５を備え、このフランジ５と共に、前記挿入穴４の周壁を構成する挿入穴周壁部６に、挿入穴４側の内側部７´より外側部７´´を大径にした支持孔７を備え、この支持孔７に、内側にあっては前記内側部７´を、外側にあっては前記外側部７´´を出没するロックピン８を摺嵌し、該ロックピン８を前記挿入穴４方に出没させる操作筒９を主体部１ａに外嵌し、フランジ５の後方に重なり合うようにして移動自在に組付けてある。
【００１３】
操作筒９は、前記フランジ５と、主体部１ａの後方側に金属杆を巻回して止着して形成した突条１０との間を自在に移動するようにして主体部１ａの外側に摺嵌したもので、内壁の後部側に設けた係止段部１１を設けて操作筒９の内側に嵌め込んだコイルばね１２の一端（後端）を受止するようにし、前部側には内周面に沿う係合溝１３を設け、該係合溝１３に前記ロックピン８の、外側の基部を係合するようにしてロックピン８先端が、前記挿入穴４内に突出した状態から前記支持孔７内に没入するようにしてある。
【００１４】
一端を操作筒９側の前記係止段部１１に係止させた前記コイルばね１２の他端（先端）は、前記主体部１ａの前後方向の中間部周側に設けた係止段部１４に係止させ、このコイルばね１２の係止段部１１，１４との係止関係によってコイルばね１２が機能して、操作筒９後退死点位置である突条１０位置まで常時後退状態におかれ、この状態時に操作筒９の先端側の内面部がロックピン８の基端面を押圧し、ロックピン８の先端は挿入穴４内に突出した状態におかれる。すなわち、ロックピン８は、その先端が挿入穴４内に挿入したドリルビットｂのシャンク部ｂ´に設けた組付け部に係合し、ビットｂをアダプタ主体１に保持し、その保持状態はコイルばね１２の付勢によって維持されるのである。
【００１５】
そして、アダプタ主体１のシャンク部１ｂをドリル本体Ｄのチャック部（挿着部）に挿着して組付け、操作筒９をコイルばね１２の付勢に抗してアダプタ主体１の主体部１ａに沿わせて前進させて、ロックピン８を挿入穴４から出没自在な状態においた後、挿入穴４にドリルビットｂを挿入して、操作筒９を保持状態から解放すると、操作筒９はコイルばね１２の付勢によって前進し、その内面がロックピン８を押圧し、ロックピン８の先端の、ビットｂのシャンク部に設けた係合凹部内への係合状態を保持し、ドリルビットｂはアダプタ主体１を介してドリル本体Ｄに組付けられる。
【００１６】
この組付け状態で筒体１ｃの長さを利用して、下側から上方に向けて穿孔作業を行え、その作業中、フランジ５が機能して削りカスの操作筒９と主体部１ａ（アダプタ主体１）との境界部への侵入が防がれるのである。
【図面の簡単な説明】
【００１７】
【図１】断面図。
【図２】一部拡大断面図。
【符号の説明】
【００１８】
１      アダプタ主体
３      凹部
４      挿入穴
８      ロックピン
９      操作筒
【図１】
2010029954.tif 000003
【図２】
2010029954.tif 000004